(57)【要約】【課題】旧ロールのウエブと新ロールのウエブとの突き合わせ接合を高品質で行うことのできるウエブの突き合わせ接合装置を提供する。【解決手段】突き合わせ接合装置１０は、旧ロール２４と新ロール２８とを巻き戻し可能に支持する回転可能なターレット装置１２と、旧ロール２４のウエブ３２と新ロール２８のウエブ４４とを重ね合わせた状態で切断する切断ドラム３８及び切断接合ドラム４０と、接合テープ６２を保持してウエブ３２、４４の突き合わせ部に貼着する接合ドラム４２と、を備える。切断ドラム３８には、バランスウェイト３９、３９が取りつけられ、回転中心Ｘに対する偏心が補正される。【選択図】  図７
2007062982.tif 000002
【特許請求の範囲】
【請求項１】
旧ロールから巻き戻し搬送される帯状可撓性支持体の末端部と、新ロールから巻き戻し搬送される帯状可撓性支持体の先端部とを突き合わせた状態で、接合テープにより接合するウエブの突き合わせ接合方法において、
一対の切断ドラムの一方に前記新ロールの帯状可撓性支持体の先端部を保持させるとともに、接合ドラムに接合テープを供給することによって、突き合わせ接合の準備を行う準備ステップと、
前記準備ステップ後、回転駆動する前記一対の切断ドラムによって、前記旧ロールの帯状可撓性支持体と前記新ロールの帯状可撓性支持体とを重ね合わせた状態で切断する切断ステップと、
前記切断ステップで切断された二つの帯状可撓性支持体の端部の突き合わせ部分を、回転駆動する前記一対の切断ドラムの一方と前記接合ドラムとで協働保持しながら、該突き合わせ部を接合位置に送り込む送込ステップと、
前記接合位置に送り込まれた突き合わせ部に、前記回転駆動する接合ドラムで前記接合テープを貼着する接合ステップと、
を備え、
前記一対の切断ドラムと前記接合ドラムの少なくとも一つは、バランスウェイトを取り付けることによって回転中心に対する偏心を補正した偏心補正ドラムを用いることを特徴とするウエブの突き合わせ接合方法。
【請求項２】
旧ロールから巻き戻し搬送される帯状可撓性支持体の末端部と、新ロールから巻き戻し搬送される帯状可撓性支持体の先端部とを突き合わせた状態で、接合テープにより接合するウエブの突き合わせ接合装置において、
前記旧ロールと前記新ロールとを巻き戻し可能に支持し、所定角度ごとに回転可能なターレット手段と、
回転駆動することによって旧ロールの帯状可撓性支持体と新ロールの帯状可撓性支持体とを重ね合わせた状態で切断する一対の切断ドラムと、
前記接合テープを保持するテープ保持部を備え、回転駆動することによって前記二つの帯状可撓性支持体の端部の突き合わせ部に前記接合テープを貼着する接合ドラムと、
を備え、
前記一対の切断ドラムと前記接合ドラムのうちの少なくとも一つのドラムには、該ドラムの回転中心に対する偏心を補正するバランスウェイトが取り付けられることを特徴とするウエブの突き合わせ接合装置。
【請求項３】
前記バランスウェイトは、前記帯状可撓性支持体の搬送ラインに対して該帯状可撓性支持体の幅方向の両外側に配置され、前記ドラムの回転軸に取り付けられることを特徴とする請求項２に記載のウエブの突き合わせ接合装置。
【発明の詳細な説明】
【技術分野】
【０００１】
本発明はウエブの突き合わせ接合方法及び装置に係り、特にプラスチック、紙、金属箔等の帯状可撓性支持体（以下、「ウエブ」と称する）の端部同士を接合するウエブの突き合わせ接合方法及び装置に関する。
【背景技術】
【０００２】
この種のウエブの突き合わせ接合装置は、特許文献１に記載されるように、ウエブのターレット装置、ウエブの切断接合ユニット等から構成されている。ターレット装置はターレットアームを有し、このターレットアームの両端部に軸支された旧ロールと新ロールとの位置を配置転換させて、ウエブを切断接合ユニットに順次供給するものである。切断接合ユニットは、一対の切断ドラムと接合ドラムとを有しており、巻き戻されている旧ロールのウエブ末端部と、巻き戻しが開始される新ロールのウエブ先端部とを連続供給しながら切断ドラムによって切断し、切断後のウエブの端部同士を接合ドラムによって接合テープで接合するものである。このような接合装置によれば、旧ロールのウエブと新ロールのウエブとを連続供給しながら、その端部同士を突き合わせ接合することができる。
【０００３】
ところで、上述したドラムは、小型化或いは軽量化のため、非円筒状に形成されることがある。例えば、特許文献１の切断ドラムは、略扇状に形成されており、切断接合ドラムとの協働作業が必要な部分だけ円弧状の外周部が設けられている。
【特許文献１】特開平９−３２３８４８号公報
【発明の開示】
【発明が解決しようとする課題】
【０００４】
しかしながら、このようなドラムをウエブの速度に合わせて高速で回転させると、ドラムが偏心して回転し、ドラム自身に撓みが生じるという問題があった。その結果、ドラム同士が接触したり、或いはドラム同士の隙間が大きくなったりして、切断精度や接合精度が低下するという不具合を生じていた。
【０００５】
本発明はこのような事情に鑑みて成されたもので、ドラムの偏心を抑制して切断精度や接合精度を向上させることができ、且つ、小型化を図ることのできるウエブの突き合わせ接合方法及び装置を提供することを目的とする。
【課題を解決するための手段】
【０００６】
請求項１に記載の発明は前記目的を達成するために、旧ロールから巻き戻し搬送される帯状可撓性支持体の末端部と、新ロールから巻き戻し搬送される帯状可撓性支持体の先端部とを突き合わせた状態で、接合テープにより接合するウエブの突き合わせ接合方法において、一対の切断ドラムの一方に前記新ロールの帯状可撓性支持体の先端部を保持させるとともに、接合ドラムに接合テープを供給することによって、突き合わせ接合の準備を行う準備ステップと、前記準備ステップ後、回転駆動する前記一対の切断ドラムによって、前記旧ロールの帯状可撓性支持体と前記新ロールの帯状可撓性支持体とを重ね合わせた状態で切断する切断ステップと、前記切断ステップで切断された二つの帯状可撓性支持体の端部の突き合わせ部分を、回転駆動する前記一対の切断ドラムの一方と前記接合ドラムとで協働保持しながら、該突き合わせ部を接合位置に送り込む送込ステップと、前記接合位置に送り込まれた突き合わせ部に、前記回転駆動する接合ドラムで前記接合テープを貼着する接合ステップと、を備え、前記一対の切断ドラムと前記接合ドラムの少なくとも一つは、バランスウェイトを取り付けることによって回転中心に対する偏心を補正した偏心補正ドラムを用いることを特徴とする。
【０００７】
請求項１に記載の発明によれば、バランスウェイトによって偏心を補正したドラムを用いて帯状可撓性支持体の切断・接合作業を行うので、切断精度や接合精度を向上させることができる。
【０００８】
請求項２に記載の発明は前記目的を達成するために、旧ロールから巻き戻し搬送される帯状可撓性支持体の末端部と、新ロールから巻き戻し搬送される帯状可撓性支持体の先端部とを突き合わせた状態で、接合テープにより接合するウエブの突き合わせ接合装置において、前記旧ロールと前記新ロールとを巻き戻し可能に支持し、所定角度ごとに回転可能なターレット手段と、回転駆動することによって旧ロールの帯状可撓性支持体と新ロールの帯状可撓性支持体とを重ね合わせた状態で切断する一対の切断ドラムと、前記接合テープを保持するテープ保持部を備え、回転駆動することによって前記二つの帯状可撓性支持体の端部の突き合わせ部に前記接合テープを貼着する接合ドラムと、を備え、前記一対の切断ドラムと前記接合ドラムのうちの少なくとも一つのドラムには、該ドラムの回転中心に対する偏心を補正するバランスウェイトが取りつけられることを特徴とする。
【０００９】
請求項２に記載の発明によれば、バランスウェイトが設けられているので、ドラムの偏心を補正した状態でドラムを回転させることができる。これにより、ドラムの偏心によって撓みが生じることを防止することができ、切断精度や接合精度を向上させることができる。
【００１０】
請求項３に記載の発明によれば、前記バランスウェイトは、前記帯状可撓性支持体の搬送ラインに対して該帯状可撓性支持体の幅方向の両外側に配置され、前記ドラムの回転軸に取り付けられることを特徴とする。
【００１１】
請求項３に記載の発明によれば、バランスウェイトが帯状可撓性支持体の幅方向の両外側に配置されるので、バランスウェイトが帯状可撓性支持体に接触して帯状可撓性支持体を損傷することを防止することができる。
【発明の効果】
【００１２】
本発明によれば、バランスウェイトによって偏心を補正したドラムを用いて帯状可撓性支持体の切断・接合作業を行うので、切断精度や接合精度を向上させることができる。
【発明を実施するための最良の形態】
【００１３】
以下添付図面に従って本発明に係るウエブの突き合わせ接合方法及び装置の好ましい実施の形態について説明する。
【００１４】
図１は、本発明の実施の形態に係るウエブの突き合わせ接合装置の全体構成図である。同図に示すように、接合装置１０は主として、ターレット装置１２と切断接合ユニット１４で構成される。
【００１５】
ターレット装置１２はターレットアーム１８を有し、このターレットアーム１８は、支柱２０に軸２２を支点として回転可能に設けられている。ターレットアーム１８の一方端には、ウエブの巻き戻しが終了する旧ロール２４が軸２６を介して回転可能に支持され、他方端にはウエブの巻き戻しが開始される新ロール２８が軸３０を介して回転可能に支持されている。旧ロール２４に巻回されているウエブ３２は、旧ロール２４から巻き戻された後、ガイドローラ３４、３６に転接され、切断接合ユニット１４に導かれている。
【００１６】
切断接合ユニット１４は図２に示すように、切断ドラム３８、切断接合ドラム（切断ドラムに相当）４０、及び接合ドラム４２で構成され、各々のドラム３８、４０、４２が機枠４１に設置されている。また、各々のドラム３８、４０、４２は不図示の駆動モータからの動力によって同期して回転される。
【００１７】
前述した旧ロール２４からのウエブ３２は、切断ドラム３８と切断接合ドラム４０との間、及び、切断接合ドラム４０と接合ドラム４２との間に挿通された後、ウエブ３２の速度変動や張力変動を緩衝する緩衝装置（不図示）に送られる。一方、新ロール２８からのウエブ４４の先端は、新ロール２８の位置から切断接合ユニット１４の位置まで搬送された後、切断ドラム３８に吸着され、接合準備完了の状態に待機される。
【００１８】
切断ドラム３８の外周部にはカッター４６が設けられる。カッター４６は、切断ドラム３８の外周面から所定量だけ突出した状態に取りつけられている。また、カッター４６は、切味良化のため、切断ドラム３８の幅方向（すなわちウエブ３２、４４の幅方向）に対して所定の傾斜角θ°で取りつけられている。切断接合ドラム４０には、カッター４６が当接する位置に切断部４８が設けられており、この切断部４８とカッター４６で、ウエブ３２とウエブ４４を重ねて挟み込むことによって、ウエブ３２とウエブ４４が切断される。
【００１９】
切断ドラム３８は、図７、図８に示すように、円筒状に形成された回転中空軸５２と、断面が略扇状に形成された扇状部５３とから成り、扇状部５３の平坦部分には、図２に示す如く通気孔５０、５０…が形成される。これらの通気孔５０、５０…は、回転中空軸５２に形成された通気孔５４に連通される。回転中空軸５２には、不図示の吸気装置及び送気装置が連結されている。したがって、吸気装置を駆動することによって、ウエブ４４の先端部近傍が通気孔５０、５０…に吸着保持される。また、送気装置を駆動することによって、切断後の切断屑が切断ドラム３８から離脱される。
【００２０】
切断ドラム３８には、図７に示すように、バランスウェイト３９、３９が設けられている。二つのバランスウェイト３９、３９は鉛等の金属材から成り、同形状、同質量で形成され、回転中空軸５２に固着されている。また、二つのバランスウェイト３９、３９は、切断ドラム３８の幅方向の中心位置に対して均等な距離に配置され、且つ、切断ドラム３８の扇状部５３に対して幅方向の両外側に配置される。この位置は、ウエブ３２、４４の搬送ラインに対して、幅方向の両外側となる位置である。
【００２１】
また、バランスウェイト３９は、図８に示すように、回転中心Ｘの方向にみた際に、略扇状に形成されている。バランスウェイト３９の角度αは、切断ドラム３８の扇状部５３の角度βに対して、α＝３６０°−β、を成すように形成されており、切断ドラム３８の扇状部５３の反対側にバランスウェイト３９が配置される。このバランスウェイト３９、３９が取り付けられることによって、切断ドラム３８（すなわち、回転中空軸５２と扇状部５３とバランスウェイト３９、３９から成る回転体）は、回転中心Ｘに対して全ての径方向に同じウェイトになっている。したがって、切断ドラム３８は、回転中心Ｘに対して偏心のない状態に維持されている。
【００２２】
図２に示すように、接合ドラム４２は略円筒状に形成されており、その外周面には吸気孔５６、５６…が形成されている。吸気孔５６は、回転中空軸５８に形成された通気孔６０に連通されており、回転中空軸５８は不図示の吸気装置が連結されている。したがって、吸気装置を駆動することによって、接合テープ６２が吸気孔５６に吸着保持される。接合テープ６２は、不図示の接合テープ供給装置から供給される。
【００２３】
切断接合ドラム４０は、図２に示す如く断面が略Ｄ状に形成されており、円弧状の外周部分に前述した切断部４８が取りつけられる。また、円弧状の外周部分の両端位置には、ガイドローラ４３、４３が回動自在に取りつけられており、円弧状の外周部分の両端位置でウエブ３２が引っかからないようになっている。
【００２４】
また、円弧状の外周部分には、切断部４８に対して回転方向の下流側となる位置に、複数の吸着孔４５（一つのみ図示）が形成されている。この吸着孔４５は、切断線に近接して、且つ、切断線と平行に配列されている。また、各吸着孔４５は、回転中空軸４７に形成された通気孔４９に連通されており、回転中空軸４７は、不図示の吸引装置に接続されている。したがって、吸引装置を駆動することによって、吸着孔４５に旧ロール２４のウエブ３２の切断残部（すなわち、切断後のウエブ３２の末端側部分：図６参照）３２Ｂを吸着することができる。
【００２５】
切断ドラム３８、切断接合ドラム４０、接合ドラム４２の中間位置には、ガイド部材７２が設けられる。ガイド部材７２は、その上面が円弧状に形成されており、切断接合ドラム４０が回転して円弧状の外周面がガイド部材７２に対向した際に、ガイド部材７２が切断接合ドラム４０の円弧状の外周面に対して一定の隙間になるように形成されている。また、ガイド部材７２は、その表面がフッ素樹脂等によってコーティングされており、ウエブ３２、４４に対する摩擦係数が小さくなっている。これにより、ウエブ３２、４４がガイド部材７２に対して滑らかに摺動することができる。
【００２６】
次に上記の如く構成されたウエブの突き合わせ接合装置の作用について図３〜図６に基づいて説明する。
【００２７】
まず、準備ステップとして、切断ドラム３８に新ロール２８のウエブ４４の先端部を保持させる。また、接合ドラム４２に接合テープ６２を保持させる。この状態で、旧ロール２４からのウエブ３２の送り出しを継続する。そして、ウエブ３２の末端部が現れた際に、その末端部をセンサにより検出し、センサの検出信号に基づいて切断ドラム３８、切断接合ドラム４０、接合ドラム４２の回転駆動を開始する。その際、切断ドラム３８にはバランスウェイト３９、３９が取りつけられているので、切断ドラム３８は偏心することなく回転する。したがって、切断ドラム３８が撓んで接触したり、逆に隙間が広がったり、或いは、回転のタイミングがずれることを防止できる。よって、後述の切断作業や接合作業を高精度で行うことができる。
【００２８】
切断ドラム３８、切断接合ドラム４０を回転することによって、ウエブ３２、４４は、図３に示すように、重ね合わされた状態で切断ドラム３８と切断接合ドラム４０との間に送り込まれる。そして、図４に示すように、ウエブ３２、４４は、切断ドラム３８のカッター４６と切断接合ドラム４０の切断部４８とに挟み込まれて切断される（切断ステップ）。
【００２９】
切断されたウエブ３２、４４は、ウエブ３２の末端とウエブ４４の先端とが突き合わされた状態で、切断ドラム３８と切断接合ドラム４０から送り出される。そして、ガイド部材７２にガイドされることによって、ウエブ３２、４４は突き合わせ状態を維持したまま、ガイド部材７２と切断接合ドラム４０との隙間を移動し、図５に示すように接合位置に送り込まれる（送込ステップ）。これにより、ウエブ３２、４４を切断時の突き合わせ状態を保ったまま確実に接合位置に送り込むことができる。
【００３０】
なお、切断ステップ後、新ロール２８のウエブ４４の切断屑４４Ｂは、切断ドラム３８に吸着されてウエブ３２から剥離され、取り除かれる。また、旧ロール２４のウエブ３２の切断残部３２Ｂは、切断接合ドラム４０の吸着孔４５に吸着され、ウエブ４４に重なった状態で接合位置に送り込まれる。
【００３１】
接合位置に送り込まれたウエブ３２、４４は、その突き合わせ部に接合テープ６２が圧着される。これにより、ウエブ３２、４４の突き合わせ部が接合される（接合ステップ）。
【００３２】
接合されたウエブ３２、４４は、後段の緩衝装置（不図示）に送られて、速度変動や張力変動が緩衝される。その際、図６に示すように切断接合ドラム４０が回転することによって、切断接合ドラム４０に吸着したウエブ３２の切断残部３２Ｂがウエブ４４から剥離される（剥離ステップ）。剥離後の切断残部３２Ｂは、不図示の末端処理装置によって除去される。なお、切断残部３２Ｂを末端処理装置で除去する代わりに、旧ロール２４を逆回転することによって旧ロール２４に巻き取るようにしてもよい。
【００３３】
上述したように、本実施の形態によれば、切断ドラム３８にバランスウェイト３９、３９を取りつけて切断ドラム３８の偏心を補正したので、切断ドラム３８の偏心回転を防止することができ、切断作業や接合作業を高精度で行うことができる。
【００３４】
特に本実施の形態では、バランスウェイト３９、３９を切断ドラム３８の扇状部５３に対して両外側に配置することによって、バランスウェイト３９、３９をウエブ４４の搬送ラインの外側に配設したので、バランスウェイト３９、３９がウエブ４４に接触することを防止できる。
【００３５】
さらに、本実施の形態によれば、バランスウェイト３９、３９を取り付けることによって切断ドラム３８の偏心を防止できるので、切断ドラム３８の扇状部５３の角度βを小さくして切断ドラム３８をより小型化することができる。
【００３６】
なお、上述した実施の形態は、偏心の最も大きい切断ドラム３８にバランスウェイト３９、３９を設けて偏心を補正したが、同様に、切断接合ドラム４０や接合ドラム４２にバランスウェイトを設けて偏心を補正するようにしてもよい。
【００３７】
また、上述した実施の形態は、バランスウェイト３９、３９を切断ドラム３８の回転中空軸５２の外周面に取り付けたが、バランスウェイト３９、３９の取付位置はこれに限定するものではなく、例えば回転中空軸５２の内部に設けてもよい。
【図面の簡単な説明】
【００３８】
【図１】本発明の実施の形態に係るウエブの突き合わせ接合装置の全体構成図
【図２】ウエブの切断接合ユニットを示す構成図
【図３】ウエブの切断接合作業を説明する構成図
【図４】ウエブの切断接合作業を説明する構成図
【図５】ウエブの切断接合作業を説明する構成図
【図６】ウエブの切断接合作業を説明する構成図
【図７】切断ドラムを示す斜視図
【図８】切断ドラムを示す側面図
【符号の説明】
【００３９】
１０…ウエブの突き合わせ接合装置、１２…ターレット装置、１４…切断接合ユニット、３２…ウエブ、３８…切断ドラム、３９…バランスウェイト、４０…切断接合ドラム、４２…接合ドラム、４４…ウエブ、４５…吸着孔、７２…ガイド部材
【図１】
2007062982.tif 000003
【図２】
2007062982.tif 000004
【図３】
2007062982.tif 000005
【図４】
2007062982.tif 000006
【図５】
2007062982.tif 000007
【図６】
2007062982.tif 000008
【図７】
2007062982.tif 000009
【図８】
2007062982.tif 000010